(57)【要約】【課題】熱源の放射熱により熱気が給気流路に入りにくくした冷却装置を提供する。【解決手段】画像形成装置本体内に、ヒータ１８ａをそなえた定着装置（熱源）１７の放射熱を冷却するための冷却装置をそなえる。冷却装置は、冷却ファン（ファン）５１、排気ファン（ファン）５２、冷却ダクト５３、排気ダクト５４などをそなえ、冷却ダクト５３の定着装置１７側の開口に、シャッタ手段５５Ａをそなえる。【選択図】　　　　図２
2004053973.tif 000002
【特許請求の範囲】
【請求項１】
ファンを駆動して給気流路に空気を取り込み、熱源を冷却した後、排気する冷却装置において、
前記ファン停止時に熱源の放射熱による熱気が前記給気流路に入り込むことを阻止するシャッタ手段を前記給気流路の前記熱源側に開閉自在にそなえてなることを特徴とする、冷却装置。
【請求項２】
前記シャッタ手段が閉じるように付勢され、前記ファンが駆動したときに送風により開くことを特徴とする、請求項１に記載の冷却装置。
【請求項３】
前記ファンの停止と連動して、前記シャッタ手段を閉じた後、熱源まわりの温度が一定以下となったときに前記シャッタ手段を開くことを特徴とする、請求項１に記載の冷却装置。
【請求項４】
駆動手段により前記シャッタ手段を開閉することを特徴とする、請求項３に記載の冷却装置。
【請求項５】
バイメタルの湾曲により前記シャッタ手段を開閉することを特徴とする、請求項３に記載の冷却装置。
【請求項６】
形状記憶合金の変形により前記シャッタ手段を開閉することを特徴とする、請求項３に記載の冷却装置。
【請求項７】
請求項１ないし６のいずれか１に記載の冷却装置をそなえることを特徴とする、画像形成装置。
【発明の詳細な説明】
【０００１】
【発明の属する技術分野】
この発明は、ファンを駆動して給気流路に空気を取り込んで熱源を冷却した後、排気する冷却装置およびその冷却装置をそなえた、複写機、プリンタ、ファクシミリなどの画像形成装置に関する。
【０００２】
【従来の技術】
従来の画像形成装置の内部にそなえた冷却装置としては、特開平７−２８７５０４号公報において、熱を発生する定着装置と熱の影響を受け易い感光体との間に遮蔽壁を設け、定着装置から発生する熱を感光体側に伝えないように、画像形成装置の外部に放出する構造のものが開示されている。
【０００３】
しかし、このような構造では、感光体側に熱を伝えないようにすることが十分に達成できなかった。
【０００４】
そこで、図９に示すように、定着ローラ１ａにヒータ１ｂをそなえた定着装置１の上方で、プラスチックレンズ２ａとレーザーダイオード２ｂをそなえた書込み装置２の下方に、冷却ファン３、冷却ダクト４、排気ダクト５、排気ファン６をそなえたものがある。
【０００５】
このように構成された冷却装置は、熱源である定着装置１の作動と連動して、冷却ファン３と排気ファン６が駆動して空気を取り込み、矢印のように、冷却ダクト４内に給気流路が形成され、ヒータ１ｂによって加熱された定着装置１にあてて冷却する。そして、熱せられた空気を排気ダクト５を介して排気ファン６により外部に排出し、定着装置１の作動停止と連動して、冷却ファン３と排気ファン６が駆動を停止するようになっている。
【０００６】
【発明が解決しようとする課題】
しかしながら、このような構成の冷却装置では、定着装置１の作動停止と連動して、冷却ファン３と排気ファン６が駆動を停止するが、そのときは、定着装置１が十分に冷却していない。そのため、定着装置１の放射熱が熱気となって、図１０の矢印で示すように、冷却ダクト４や排気ダクト５に沿って上昇しながら、これらを熱する。このうち、熱せられた冷却ダクト４の放射熱により、書込み装置２が熱せられると、書込み装置２にある、走査光学系２ａのプラスチックレンズやレーザーダイオード２ｂなどが熱せられて、劣化を早めたり、動作不良を生じるという問題がある。
【０００７】
そこで、この発明の第１の目的は、熱源の放射熱により熱気が給気流路に入りにくくした冷却装置を提供することにある。
【０００８】
この発明の第２の目的は、簡易な構造で容易にシャッタ手段を開閉することにある。
【０００９】
この発明の第３の目的は、効率よく熱源まわりを冷却することにある。
【００１０】
この発明の第４の目的は、シャッタ手段を確実に開閉することにある。
【００１１】
この発明の第５の目的は、簡易な部材で安価に、かつ、静かにシャッタ手段の開閉をすることにある。
【００１２】
この発明の第６の目的は、上記のそれぞれの目的を有する冷却装置をそなえる画像形成装置を提供することにある。
【００１３】
【課題を解決するための手段】
そのため、請求項１に記載の発明は、上記第１の目的を達成すべく、ファンを駆動して給気流路に空気を取り込み、熱源を冷却した後、排気する冷却装置において、前記ファン停止時に熱源の放射熱による熱気が前記給気流路に入り込むことを阻止するシャッタ手段を前記給気流路の前記熱源側に開閉自在にそなえてなることを特徴とする。
【００１４】
請求項２に記載の発明は、上記第２の目的を達成すべく、前記シャッタ手段が閉じるように付勢され、前記ファンが駆動したときに送風により開くことを特徴とする。
【００１５】
請求項３に記載の発明は、上記第３の目的を達成すべく、前記ファンの停止と連動して、前記シャッタ手段を閉じた後、熱源まわりの温度が一定以下となったときに前記シャッタ手段を開くことを特徴とする。
【００１６】
請求項４に記載の発明は、上記第４の目的を達成すべく、駆動手段により前記シャッタ手段を開閉することを特徴とする。
【００１７】
請求項５に記載の発明は、上記第５の目的を達成すべく、バイメタルの湾曲により前記シャッタ手段を開閉することを特徴とする。
【００１８】
請求項６に記載の発明は、上記第５の目的を達成すべく、形状記憶合金の変形により前記シャッタ手段を開閉することを特徴とする。
【００１９】
請求項７に記載の発明は、上記第６の目的を達成すべく、画像形成装置において、請求項１ないし６のいずれか１に記載の冷却装置をそなえることを特徴とする。
【００２０】
【発明の実施の形態】
以下、図面を参照しつつ、この発明の実施の形態につき説明する。
図１には、この発明に係る黒赤２色のレーザ複写機（画像形成装置）における内部機構の全体概略構成を示す。
【００２１】
図中符号１０は、複写機装置本体である。複写機装置本体１０内には、ドラム状の感光体１１を設け、そのまわりに第１帯電装置１２、黒の第１現像装置１３、第２帯電装置３７、第２書込み装置３８、赤の第２の現像装置３９、転写・搬送装置１４、クリーニング装置１５などを配置する。
【００２２】
それらの上部には、第１書込み装置１６を設ける。第１書込み装置１６には、レーザダイオード等の光源４０、ポリゴンミラーである走査用の回転多面鏡４１、ポリゴンモータ４２、ｆθレンズ４３やミラー４４等の走査光学系などを備えてなる。ｆθレンズ４３やミラー４４は、プラスチック製である。
【００２３】
クリーニング装置１５の図中左側には、感光体１１と平行に定着装置１７を設ける。定着装置１７には、ヒータを内蔵する定着ローラ１８と、その定着ローラ１８に下方から押し当てる加圧ローラ１９を設ける。
【００２４】
また、装置本体１０内の上部には、原稿読取装置２０をそなえる。原稿読取装置２０には、光源ａ、複数のミラーｂ、結像レンズｃ、ＣＣＤ等のイメージセンサｄなどを設ける。
【００２５】
一方、装置本体１０内の下部には、両面ユニット２２と給紙カセット２３を上下二段にそなえる。両面ユニット２２および給紙カセット２３からは、各々、感光体１１の下方へとのびる給紙路２４へと通ずる排紙路を設ける。両面ユニット２２へは、定着装置１７出口からのびる排紙路２５途中から分岐して反転路２６を形成してなる。
【００２６】
そのような装置本体１０の上面には、コンタクトガラス２７を設置する。そのコンタクトガラス２７を被うように、装置本体１０上には、自動原稿給紙装置２８を開閉自在に取り付けてなる。
【００２７】
ところで、装置本体１０の右側面には、手差しシート材を給紙路２４に案内する手差しトレイ２９を開閉自在に設ける。他方、装置本体１０の左側面には、排紙路２５を通して排出するシート材を受けるソータ３０を取り付ける。そして、装置本体１０を給紙テーブル３１上に載置してなる。給紙テーブル３１内には、給紙カセット２３を多段にそなえる。
【００２８】
さていま、このレーザ複写機を用いてコピーを取るときは、自動原稿給紙装置２８に原稿をセットし、または自動原稿給紙装置２８を開いてコンタクトガラス２７上に直接原稿をセットする。そして、不図示のスタートスイッチを押し、自動原稿給紙装置２８を駆動してコンタクトガラス２７上に搬送した原稿を、またはあらかじめコンタクトガラス２７上に原稿をセットしたときは、そのセットしてある原稿を、原稿読取装置２０で色別に読み取って黒と赤の電気的なデジタル画像信号に変換する。
【００２９】
同時に、適宜の給紙ローラ３３を回転し、装置本体１０および給紙テーブル３１内に多段にそなえる複数の給紙カセット２３中の対応する給紙カセット２３内から、用紙・ＯＨＰフィルム等のシート材を繰り出し、給紙路２４に入れて搬送ローラ３４で搬送し、レジストローラ３５に突き当てて止める。そして、感光体１１の回転にタイミングを合わせて該レジストローラ３５を回転し、感光体１１の下方へと送り込む。
【００３０】
または、手差し給紙部にある給紙ローラ３６を回転して、開いた手差しトレイ２９上にセットした手差しシート材を給紙路２４へと入れ、同じくレジストローラ３５で感光体１１の回転にタイミングを合わせて該感光体１１の下方へと送り込む。
【００３１】
他方、不図示のスタートスイッチを押したとき、同時に感光体１１を図中時計方向に回転する。そして、その感光体１１の回転とともに、まず第１帯電装置１２で表面を一様に帯電し、次いで上述した原稿読取装置２０で読み取った読取り内容に応じ、黒のデジタル画像信号に基づきレーザ光Ｌを照射して第１書込み装置１６で黒の書込みを行い、感光体１１の表面に静電潜像を形成し、そののち第１現像装置１３で黒のトナーを付着してその静電潜像を可視像化する。
【００３２】
続いて、第２帯電装置３７により一様に帯電し、上述した原稿読取装置２０で読み取った読取り内容に応じ、次には赤のデジタル画像信号に基づき第２書込み装置３８にてレーザ光を照射することにより赤の書込みを行い、カラー原稿の赤成分に対応した静電潜像を上記黒トナー像に重ねて形成し、そののち第２現像装置３９で赤のトナーを付着してその静電潜像を可視像化する。これにより、感光体１１上に、黒トナー像と赤トナー像とからなる２色画像を形成する。
【００３３】
それから、上述したごとく感光体１１の下方へと送り込んだシート材に、転写・搬送装置１４でその２色画像を転写する。画像転写後の感光体１１は、クリーニング装置１５で残留トナーを除去して表面を清掃し、次の同様な画像形成にそなえる。
【００３４】
一方、画像転写後のシート材は、転写・搬送装置１４で搬送して定着装置１７に入れ、定着ローラ１８と加圧ローラ１９とで熱と圧力とを加えて転写画像を定着する。その後、排紙路２５を通してソータ３０に仕分けして排出する。
【００３５】
シート材の両面に画像を記録するときには、排紙路２５から反転路２６に入れ、両面ユニット２２で反転して再び給紙路２４に入れ、転写・搬送装置１４でシート材の裏面にも、別途感光体１１上に形成した画像を転写して後、その転写画像を定着装置１７で定着してソータ３０に排出する。
【００３６】
ところで、複写機装置本体１０内には、図２に示すような冷却装置をそなえる。この冷却装置は、定着装置（熱源）１７のヒータ１８ａで発生する熱を冷却するためのものであり、冷却ファン（ファン）５１、排気ファン（ファン）５２、冷却ダクト５３、排気ダクト５４、シャッタ手段５５Ａをそなえてなる。そして、冷却ダクト５３の開口を定着装置１７に向けるように配設する。
【００３７】
このとき、冷却ダクト５３の上方には、第１書込み装置１６などがそなえられている。また、冷却ファン５１、排気ファン５２は、複写機装置本体１０の外装カバーに取り付けられている。
【００３８】
シャッタ手段５５Ａは、図３に示すように、シャッタ５５ｃ、回転支軸５５ａ，５５ｂ、スプリング５６などをそなえてなる。シャッタ５５ｃは、長矩形状で、一方の長辺の両端に１対の回転支軸５５ａ，５５ｂをそなえる。そして、回転支軸５５ａにスプリング５６を取り付けて、シャッタ手段５５Ａを冷却ダクト５３に設けた不図示の軸受に回動自在に取り付ける。さらに、スプリング５６の一端をシャッタ５５ｃに掛け、他端を冷却ダクト５３に掛ける。
【００３９】
このスプリング５６は、シャッタ手段５５Ａが閉じて冷却ダクト５３の開口を塞ぐように、シャッタ手段５５Ａを付勢している。そして、冷却ファン５１が駆動したときに矢印Ａからの送風によって、シャッタ手段５５Ａを矢印Ｂのように開き、送風が止まるとスプリング５６により、シャッタ手段５５Ａは、閉じるようになっている。したがって、簡単な構造で容易にシャッタ手段５５を開閉することができる。
【００４０】
なお、好ましくは、回転支軸５５ｂにもスプリング５６を取り付けて、そのスプリング５６の一端をシャッタ５５ｃに掛け、他端を冷却ダクト５３に掛ける。
【００４１】
このようにシャッタ手段５５Ａを、冷却ダクト５３の定着装置１７側の開口を塞ぐように、開閉自在にそなえる。
【００４２】
上述のように構成された冷却装置は、定着装置１７の作動と連動して、冷却ファン５１と排気ファン５２が駆動すると、冷却ファン５１が冷却ダクト５３に空気を取り込み、給気流路が形成される。そして、その送風により、シャッタ手段５５Ａを開き、ヒータ１８ａにより熱せられた定着装置１７にあたって、定着装置１７全体を冷却する。
【００４３】
さらに、定着装置１７にあたって熱せられた空気を、排気ダクト５４を介して排気ファン５２により複写機装置本体１０の外部に排出する。その後、定着装置１７が作動停止すると、これと連動して、冷却ファン５１と排気ファン５２が駆動を停止する。すると、冷却ファン５１による送風が停止して、シャッタ手段５５Ａが一点鎖線のように冷却ダクト５３の開口を塞ぐように閉じる。
【００４４】
このようにして、シャッタ手段５５が定着装置１７からの放射熱による熱気が冷却ダクト５３内に入り込むことを阻止し、定着装置１７の放射熱を冷却ダクト５３に伝え難くする。したがって、第１書き込み装置１６などの熱の影響を受けやすい装置を熱することがない。
【００４５】
さて、上述の冷却装置は、図４のように構成されていてもよい。すなわち、冷却ダクト５３の定着装置１７側の開口（熱源まわり）に温度センサ５７を設け、駆動手段によってシャッタ手段５５Ｂを開閉するようにしてもよい。
【００４６】
シャッタ手段５５Ｂは、詳しくは、図５に示すように、シャッタ５５ｃ、回転支軸５５ａ，５５ｂ、スプリング５６に加えて、アーム５５ｄ、ソレノイド（駆動手段）５８、コイルスプリング５９などをそなえてなる。そして、シャッタ５５ｃの回転支軸５５ｂ寄りにアーム５５ｄを設け、そのアーム５５ｄをコイルスプリング５９を介してソレノイド５８に取り付ける。
【００４７】
また、回転支軸５５ａには、前述の例と同様に、スプリング５６を取り付け、一端をシャッタ５５ｃに掛け、他端を冷却ダクト５３に掛けて、シャッタ手段５５Ｂを閉じる向きに付勢する。その他の部材の取付については、図３と同様であるので説明を省略する。
【００４８】
この場合には、レーザ複写機の主電源をＯＮにしたとき、ソレノイド５８がＯＮとなり、アーム５５ｄを矢印の方向に引張り、シャッタ手段５５Ｂを開く。そして、図４において、定着装置１７の作動と連動して、冷却ファン５１と排気ファン５２が駆動する。すると、冷却ファン５１から取り込まれた空気が冷却ダクト５３内に給気流路を形成し、その送風が、加熱された定着装置１７にあたって、定着装置１７を冷却する。
【００４９】
そして、定着装置１７にあたって熱せられた空気を、排気ダクト５４を介して排気ファン５２よりレーザ複写機の外部に排出する。その後、定着装置１７の作動停止と連動して、冷却ファン５１と排気ファン５２が駆動を停止するとともに、ソレノイド５８をＯＦＦにして、スプリング５６によって一点鎖線の位置となるようにシャッタ手段５５Ｂを閉じ、冷却ダクト５３の開口を塞ぐ。
【００５０】
その後、温度センサ５７が、冷却ダクト５３の定着装置１７側の開口の温度が一定以下であることを検知すると、ソレノイド５８をＯＮにして駆動させ、シャッタ手段５５Ｂを実線の位置となるように開く。詳しくは、図５において、アーム５５ｄを矢印の方向に引張り、閉じていたシャッタ手段５５Ｂをスプリング５６に抗して矢印のように開く。
【００５１】
したがって、ソレノイド５８によりシャッタ手段５５Ｂを開閉するので、シャッタ手段５５Ｂを確実に開くことができる。
【００５２】
さらに、上述の例に代えて、図６に示すように、バイメタル６１を用いてもよい。すなわち、シャッタ手段５５Ｃは、シャッタ５５ｃ、回転支軸５５ａ、５５ｂに加えて、ギア６２ａ，６２ｂ、バイメタル６１などをそなえる。
【００５３】
シャッタ５５ｃの回転支軸５５ａには、ギア６２ａを嵌合させて、回転支軸５５ａ，５５ｂを冷却ダクト５３に設けられた軸受６３ａ，６３ｂにはめ付け、シャッタ手段５５Ｃを冷却ダクト５３の開口付近に取り付ける。
【００５４】
また、ギア６２ｂを図示しない回転軸を介して、冷却ダクト５３に回動自在に取り付ける。そして、ギア６２ａには、ギア６２ｂを噛合させ、加えて、バイメタル６１の一端をそのギア６２ｂの側面部に取り付け、他端を冷却ダクト５３にピンで固定する。
【００５５】
詳しくは、図７に示すように、ギア６２ｂの側面に径方向の長孔６４を設け、バイメタル６１の一端に形成された突起６１ａを挿入する。そして、ピン６１ｂによって、バイメタル６１を冷却ダクト５３に固定する。
【００５６】
ここでバイメタル６１は、例えば、高熱膨張材料として、日本冶金工業株式会社製のＮＡＳ２１−６やＮＡＳ２２−３、低熱膨張材料として、日本冶金工業株式会社製のＮＡＳ３６を用いる。
【００５７】
このように構成された冷却装置は、バイメタル６１が熱せられていないので、実線の位置となり、シャッタ手段５５Ｃは開いている。そして、上述の例と同様に、定着装置１７の作動と連動して冷却ファン５１と排気ファン５２が駆動し、冷却ダクト５３内に給気流路が形成され、この送風により、定着装置１７を冷却する。その後、定着装置１７の作動停止と連動して、冷却ファン５１と排気ファン５２が駆動を停止すると、定着装置１７の放射熱による熱気が冷却ダクト５３の定着装置１７側の開口に達する。すると、冷却ダクト５３の定着装置１７側の開口に取り付けたバイメタル６１が、熱せられて逆向きに湾曲し、一点鎖線のように固定点６１ｂを支点として湾曲する。
【００５８】
これにより、ギア６２ｂを反時計回りに回動させると、ギア６２ａが時計回りに回動して、冷却ダクト５３の開口を塞ぐようにシャッタ手段５５Ｃを閉じる。すると、熱気が冷却ダクト５３内に入り込むことを阻止するので、バイメタル６１は、常温に向かって自然冷却される。そして、一定温度以下となったとき、バイメタル６１は、実線の位置に戻りながら、ギア６２ｂを時計回りに回動させ、ギア６２ａを反時計まわりに回動させて、シャッタ手段５５Ｃを実線の位置に戻し、冷却ダクト５３の開口を開く。
【００５９】
したがって、バイメタル６１の湾曲によりシャッタ手段５５Ｃを開閉するので、開閉動作に駆動源を必要とせず、簡易な部材で安価に、かつ、静かにシャッタ手段５５の開閉ができる。
【００６０】
さらに、この発明のシャッタ手段には、図８に示すように、形状記憶合金６５をそなえることもできる。すなわち、図６のシャッタ手段５５Ｃの回転支軸５５ｂに代えて、形状記憶合金６５を固定的に取り付ける。この形状記憶合金６５には、常温で予め、ねじり変形を加えておき、加熱されて一定温度以上になると、元の形状に戻るものであり、例えば、Ｎｉ−Ｔｉ合金、Ｃｕ合金、Ｆｅ系合金を用いてつくる。
【００６１】
そして、回転支軸５５ａを冷却ダクト５３に設けられた軸受６２ａにはめ付け、形状記憶合金６５の一端を冷却ダクト５３に固定的に取り付けて、シャッタ手段５５Ｄを冷却ダクト５３の定着装置１７側の開口に取り付ける。
【００６２】
このように構成された冷却装置は、形状記憶合金６５が熱せられていないので、シャッタ手段５５Ｄは開いている。そして、上述の例と同様に、定着装置１７の作動と連動して、冷却ファン５１と排気ファン５２が駆動し、定着装置１７を冷却後、定着装置１７の作動停止と連動して、冷却ファン５１と排気ファン５２が駆動を停止すると、定着装置１７の放射熱により熱気が冷却ダクト５３の定着装置１７側の開口に達する。すると、冷却ダクト５３の定着装置１７側の開口に取り付けた形状記憶合金６５が熱せられ、予め加えられたねじり変形を元に戻すように回動する。
【００６３】
これにより、シャッタ手段５５Ｄを回動して、冷却ダクト５３の開口を塞ぐようにシャッタ手段５５Ｄを閉じる。すると、熱気が冷却ダクト５３内に入り込むことを阻止するので、形状記憶合金６５は、常温に向かって自然冷却される。そして、一定温度以下となったとき、形状記憶合金６５は、ねじり変形した状態に戻るように回動し、シャッタ手段５５Ｄを開いて、冷却ダクト５３の開口を開く。
【００６４】
したがって、形状記憶合金６５の変形によりシャッタ手段５５Ｄを開閉するので、開閉動作に駆動源を必要とせず、簡易な部材で安価に、かつ、静かにシャッタ手段の開閉ができる。
【００６５】
なお、上述した例の冷却装置は、画像形成装置にそなえたが、この発明はこれに限定されるものではなく、熱源を有するあらゆる装置にそなえることができる。
【００６６】
【発明の効果】
以上説明したとおり、請求項１に記載の発明によれば、シャッタ手段を給気流路の熱源側に開閉自在にそなえるので、ファン停止時にシャッタ手段を閉じることにより、熱源の放射熱による熱気が給気流路に入りにくくした冷却装置を提供することができる。
【００６７】
請求項２に記載の発明によれば、シャッタ手段が閉じるように付勢され、ファンが駆動したときに送風により開くので、簡単な構造で容易にシャッタ手段を開閉することができる。
【００６８】
請求項３に記載の発明によれば、ファンの停止と連動して、シャッタ手段を閉じた後、熱源まわりの温度が一定以下となったときにシャッタ手段を開くので、その後、ファンが駆動する際に、シャッタ手段を開く必要がなく、ファンの駆動と同時に空気を熱源まわりに送ることができ、効率よく熱源まわりを冷却することができる。
【００６９】
請求項４に記載の発明によれば、駆動手段によりシャッタ手段を開閉するので、シャッタ手段を確実に開くことができる。
【００７０】
請求項５に記載の発明によれば、バイメタルの湾曲によりシャッタ手段を開閉するので、開閉動作に駆動源を必要とせず、簡易な部材で安価に、かつ、静かにシャッタ手段の開閉ができる。
【００７１】
請求項６に記載の発明によれば、形状記憶合金の変形によりシャッタ手段を開閉するので、開閉動作に駆動源を必要とせず、簡易な部材で安価に、かつ、静かにシャッタ手段の開閉ができる。
【００７２】
請求項７に記載の発明によれば、上記のそれぞれの効果を有する冷却装置をそなえる画像形成装置を提供することができる。
【図面の簡単な説明】
【図１】この発明による冷却装置をそなえる画像形成装置の概略構成図である。
【図２】その冷却装置を説明するための部分模式図である。
【図３】そのシャッタ手段の斜視図である。
【図４】この発明による別の冷却装置を説明するための部分模式図である。
【図５】そのシャッタ手段の斜視図である。
【図６】この発明によるさらに別の冷却装置のシャッタ手段のまわりの平面図である。
【図７】そのＸ−Ｘ線に沿う縦断面図である。
【図８】この発明によるさらに別の冷却装置のシャッタ手段のまわりの平面図である。
【図９】従来の冷却装置を説明するための部分模式図である。
【図１０】同じくその部分模式図である。
【符号の説明】
１７　　定着装置（熱源）
１８ａ　　ヒータ
５１　　冷却ファン（ファン）
５２　　排気ファン（ファン）
５３　　冷却ダクト
５５Ａ，５５Ｂ，５５Ｃ，５５Ｄ　　シャッタ手段
５５ｃ　　シャッタ
５６　　スプリング
５７　　温度センサ
５８　　ソレノイド（駆動手段）
６１　　バイメタル
６５　　形状記憶合金
【図１】
2004053973.tif 000003
【図２】
2004053973.tif 000004
【図３】
2004053973.tif 000005
【図４】
2004053973.tif 000006
【図５】
2004053973.tif 000007
【図６】
2004053973.tif 000008
【図７】
2004053973.tif 000009
【図８】
2004053973.tif 000010
【図９】
2004053973.tif 000011
【図１０】
2004053973.tif 000012